(57)【要約】      （修正有）【課題】斬新で宣伝広告効果が高く、搬送・組立が容易で加工し易く構成が簡易で、製造コストが安いディスプレイ装置を提供する。【解決手段】薄型収納箱と、上記薄型収納箱に収納されると共に使用時には取り出されてディスプレイ部材を構成するディスプレイ本体とを有し、上記ディスプレイ本体は、脚部を形成しうる第一のディスプレイパネル部と、上記第一のディスプレイ部内に出没可能に配置される第二のディスプレイパネル部と、上記第二のディスプレイ部を第一のディスプレイ部から突出させうる駆動部とを有し、上記ディスプレイ本体は、上記薄型収納箱に収納されている際には平板状に折り畳まれると共に上記第二のディスプレイパネル部を埋没させ、取り出された場合には、上記第二のディスプレイパネル部を突出させると共に起立可能となる。【選択図】図５
0003132333.tif 000002
【実用新案登録請求の範囲】
【請求項１】
薄型収納箱と、上記薄型収納箱に収納されると共に使用時には取り出されてディスプレイ部材を構成するディスプレイ本体とを有し、
上記ディスプレイ本体は、脚部を形成しうる第一のディスプレイパネル部と、上記第一のディスプレイ部内に出没可能に配置される第二のディスプレイパネル部と、上記第二のディスプレイ部を第一のディスプレイ部から突出させうる駆動部とを有し、
上記ディスプレイ本体は、上記薄型収納箱に収納されている際には平板状に折り畳まれると共に上記第二のディスプレイパネル部を埋没させ、取り出された場合には、上記第二のディスプレイパネル部を突出させると共に起立可能となることを特徴とするディスプレイ装置。
【請求項２】
上記第一のディスプレイパネル部は、長さ方向中央部において折曲され、一対の脚片部を構成しうる長方形板材により形成され、上記第二のディスプレイパネル部を内部に収納すると共に、上記折曲部の幅方向中央部には上記第二のディスプレイパネル部が出没しうる開口スリット部が形成され、
上記第二のディスプレイパネル部は、全体略長方形板材により形成され、両側部には、突出時に上記開口スリット部の両側部と係合しうるストッパ部が形成され、
上記駆動部は、上記第二のディスプレイパネル部の後端部と上記一対の脚片部の内側面部との間に回動可能に接合された駆動パネル部と、上記一方の脚片部の内側先端部と上記駆動パネル部との間に配設され、上記駆動パネル部を開閉駆動させうる付勢部材とを備えていることを特徴とする請求項１記載のディスプレイ装置。
【請求項３】
上記第二のディスプレイパネル部の後端部は、上記駆動パネル部の長さ方向中央部に接合され、
上記付勢部材は、一端部が上記一方の脚片部の先端部内側に形成された先端部側係止部と、上記駆動パネル部の上記一方の脚片部側の駆動パネル片部に形成された係止部との間に配設され、
上記係止部は、上記第二のディスプレイパネル部が第一のディスプレイパネル部内に収納された場合には、上記第二のディスプレイパネル部の上記後端部よりも先端部側に配置されると共に、上記付勢部材は上記駆動パネル部に対して先端部方向への付勢力を付与しうるように構成されていることを特徴とする請求項２記載のディスプレイ装置。
【請求項４】
上記駆動パネル部の、他方の駆動パネル片部の上記ディスプレイパネル部の後端部との接続部位には、上記後端部に隣接して幅方向に沿って折筋が設けられ、上記折筋により折り返し片部が形成されていることを特徴とする請求項３記載のディスプレイ装置。
【請求項５】
上記第一のディスプレイパネル部の表面部及び上記第二のディスプレイパネル部の表面部には適宜のディスプレイが表示されることを特徴とする請求項１〜４のいずれか１項に記載のディスプレイ装置。
【請求項６】
上記ディスプレイ本体は一枚の平板で形成されていることを特徴とする請求項１〜５のいずれか１項に記載のディスプレイ装置。
【請求項７】
上記収納箱及び上記ディスプレイ本体は厚紙により形成されていることを特徴とする請求項１〜６のいずれか１項に記載のディスプレイ装置。
【請求項８】
上記付勢部材は、ゴムひもにより形成されていることを特徴とする請求項１〜３のいずれか１項に記載のディスプレイ装置。
【考案の詳細な説明】
【技術分野】
【０００１】
本考案は、ディスプレイ装置に係り、特に、薄型収納箱に収納されるディスプレイ本体を取り出すことで、ディスプレイ本体内部のディスプレイパネルを自動的に突出させると共に起立させることができるディスプレイ装置に関する。
【背景技術】
【０００２】
ポスターやノベルティ商品やダイレクトメールによる宣伝広告が盛んに行われているが、一般的には平面的なポスターによるものや、動きのない大掛かりなものを展示するものや、ノベルティ商品等の配布、扁平なカード片に印刷を施したダイレクトメールによる郵送等で行われており、インパクトのある絵柄や図形などをポスターやノベルティ商品等に施したり単に大型化してもメッセージを強く印象付けさせることは困難であり、宣伝広告効果は低かった。
このため、インパクトがありメッセージを強く印象付けることができる斬新で宣伝広告効果の高いディスプレイ装置の提供が望まれている。
また、宣伝広告のためのディスプレイ装置として立体的なもの使用してインパクトを与えようとする試みもあるが、立体的なものでは容積が嵩張り、さらには、ダイレクトメールの際の郵送費が嵩み、大型のディスプレイ装置においては搬送する際の費用や手間、組み立ての際の手間に問題があった。
このため、宣伝広告費用等を節約して高い宣伝広告効果をうることが可能な宣伝広告媒体の提供が望まれる。
【考案の開示】
【考案が解決しようとする課題】
【０００３】
本考案はこのような課題を解決するためになされたものであって、上記のような従来型の宣伝広告ではなく、薄型収納箱に収納されるディスプレイ本体を取り出すことで内部に収納されたディスプレイパネルを自動的に突出させると共に起立可能とし、インパクトがありメッセージを強く印象付けることができる斬新で宣伝広告効果が高く、搬送・組立が容易なディスプレイ装置を提供することにある。  
また、加工し易く構成が簡易であることにより製造コストを嵩ませることがないディスプレイ装置を提供することにある。  
【課題を解決するための手段】
【０００４】
上記課題を解決するために、請求項１記載の考案にあっては、薄型収納箱と、上記薄型収納箱に収納されると共に使用時には取り出されてディスプレイ部材を構成するディスプレイ本体とを有し、上記ディスプレイ本体は、脚部を形成しうる第一のディスプレイパネル部と、上記第一のディスプレイ部内に出没可能に配置される第二のディスプレイパネル部と、上記第二のディスプレイ部を第一のディスプレイ部から突出させうる駆動部とを有し、上記ディスプレイ本体は、上記薄型収納箱に収納されている際には平板状に折り畳まれると共に上記第二のディスプレイパネル部を埋没させ、取り出された場合には、上記第二のディスプレイパネル部を突出させると共に起立可能となることを特徴とする。
すなわち、上記駆動部を有するので、上記薄型収納箱に収納されている上記ディスプレイ本体が取り出された場合には、上記第二のディスプレイパネル部は上記第一のディスプレイパネル部の内部から突出する。そして、脚部を形成しうる第一のディスプレイパネル部を有するので、起立可能となる。
【０００５】
また、請求項２記載の考案にあっては、上記第一のディスプレイパネル部は、長さ方向中央部において折曲され、一対の脚片部を構成しうる長方形板材により形成され、上記第二のディスプレイパネル部を内部に収納すると共に、上記折曲部の幅方向中央部には上記第二のディスプレイパネル部が出没しうる開口スリット部が形成され、上記第二のディスプレイパネル部は、全体略長方形板材により形成され、両側部には、突出時に上記開口スリット部の両側部と係合しうるストッパ部が形成され、上記駆動部は、上記第二のディスプレイパネル部の後端部と上記一対の脚片部の内側面部との間に回動可能に接合された駆動パネル部と、上記一方の脚片部の内側上端部と上記駆動パネル部との間に配設され、上記駆動パネル部を開閉駆動させうる付勢部材とを備えていることを特徴とする。
すなわち、上記駆動部は付勢部材を備えていることから、付勢部材の付勢力により、上記第二のディスプレイパネル部は上記薄型収納箱から取り出された場合には、上記付勢部材は上記駆動パネル部を回動させて、上記第二のディスプレイパネル部を自動的に突出させる。
【０００６】
請求項３記載の考案にあっては、上記第二のディスプレイパネル部の後端部は、上記駆動パネル部の長さ方向中央部に接合され、上記付勢部材は、一端部が上記一方の脚片部の先端部内側に形成された先端部側係止部と、上記駆動パネル部の上記一方の脚片部側の駆動パネル片部に形成された係止部との間に配設され、上記係止部は、上記第二のディスプレイパネル部が第一のディスプレイパネル部内に収納された場合には、上記第二のディスプレイパネル部の上記後端部よりも先端部側に配置されると共に、上記付勢部材は上記駆動パネル部に対して先端部方向への付勢力を付与しうるように構成されていることを特徴とする。
すなわち、上記第二のディスプレイパネル部が第一のディスプレイパネル部内に収納された場合には、上記係止部は、上記第二のディスプレイパネル部の上記後端部よりも先端部側に配置されることから、上記付勢部材は上記駆動パネル部に対して先端部方向への付勢力を付与された状態にある。
【０００７】
請求項４記載の考案にあっては、上記駆動パネル部の、他方の駆動パネル片部の上記ディスプレイパネル部の後端部との接続部位には、上記後端部に隣接して幅方向に沿って折筋が設けられ、上記折筋により折り返し片部が形成されていることを特徴とする。
すなわち、上記後端部に隣接して幅方向に沿って折筋が設けられ、上記折筋により折り返し片部が形成されているので、上記薄型収納箱から取り出された場合には、上記付勢部材は、上記駆動パネル部を回動させて同時に上記折り返し片部を起き上がらせる。
【０００８】
請求項５記載の考案にあっては、上記第一のディスプレイパネル部の表面部及び上記第二のディスプレイパネル部の表面部には適宜のディスプレイが表示されることを特徴とする。
すなわち、ディスプレイパネル表面部に様々なメッセージや図柄等を付すことができる。
【０００９】
請求項６記載の考案にあっては、上記ディスプレイ本体は一枚の平板で形成されていることを特徴とする。
すなわち、ディスプレイ本体は、一枚の平板を切り起こして形成されているので、他の構成要素が不要である。
【００１０】
請求項７記載の考案にあっては、上記収納箱及び上記ディスプレイ本体は厚紙により形成されていることを特徴とする。
すなわち、収納箱及びディスプレイ本体は厚紙により構成されているので構成が簡易である。
【００１１】
請求項８記載の考案にあっては、上記付勢部材は、ゴムひもにより形成されていることを特徴とする。
すなわち、ディスプレイ本体はゴムひもにより構成されているので構成が簡易である。
【考案の効果】
【００１２】
請求項１〜３記載の考案にあっては、薄型収納箱と、上記薄型収納箱に収納されると共に使用時には取り出されてディスプレイ部材を構成するディスプレイ本体とを有し、上記ディスプレイ本体は、脚部を形成しうる第一のディスプレイパネル部と、上記第一のディスプレイ部内に出没可能に配置される第二のディスプレイパネル部と、上記第二のディスプレイ部を第一のディスプレイ部から突出させうる駆動部とを有し、上記ディスプレイ本体は、上記薄型収納箱に収納されている際には平板状に折り畳まれると共に上記第二のディスプレイパネル部を埋没させ、取り出された場合には、上記第二のディスプレイパネル部を突出させると共に起立可能となる。また、上記第一のディスプレイパネル部は、長さ方向中央部において折曲され、一対の脚片部を構成しうる長方形板材により形成され、上記第二のディスプレイパネル部を内部に収納すると共に、上記折曲部の幅方向中央部には上記第二のディスプレイパネル部が出没しうる開口スリット部が形成され、上記第二のディスプレイパネル部は、全体略長方形板材により形成され、両側部には、突出時に上記開口スリット部の両側部と係合しうるストッパ部が形成され、上記駆動部は、上記第二のディスプレイパネル部の後端部と上記一対の脚片部の内側面部との間に回動可能に接合された駆動パネル部と、上記一方の脚片部の内側先端部と上記駆動パネル部との間に配設され、上記駆動パネル部を開閉駆動させうる付勢部材とを備えている。また、上記第二のディスプレイパネル部の後端部は、上記駆動パネル部の長さ方向中央部に接合され、上記付勢部材は、一端部が上記一方の脚片部の先端部内側に形成された先端部側係止部と、上記駆動パネル部の上記一方の脚片部側の駆動パネル片部に形成された係止部との間に配設され、上記係止部は、上記第二のディスプレイパネル部が第一のディスプレイパネル部内に収納された場合には、上記第二のディスプレイパネル部の上記後端部よりも先端部側に配置されると共に、上記付勢部材は上記駆動パネル部に対して先端部方向への付勢力を付与しうるように構成されている。
すなわち、薄型収納箱に収納されているディスプレイ本体が取り出された場合には、付勢部材の付勢力によって第二のディスプレイパネル部が上記第一のディスプレイパネル部の内部から自動的に突出するので、通常イメージする宣伝広告媒体とは異なった意外性のある動作により、ディスプレイ本体を取り出した者にインパクトを与えうる。
そして、脚部を形成しうる第一のディスプレイパネル部を有し起立可能となるので、そのままの状態で立設でき宣伝広告効果が生まれる。
従って、ディスプレイ本体を取り出した者が感じる意外性及び立設による宣伝広告効果により、よりインパクトがありメッセージを強く印象付けることができる斬新で宣伝広告効果の高いディスプレイ装置を提供することができる。
また、収納時には薄型収納箱に収納され平板状であるので、郵送や搬送時の手間を軽減でき、費用の節約が可能である。
また、薄型収納箱に収納されているディスプレイ本体が取り出された場合には、付勢部材の付勢力によってディスプレイパネル部が自動的に突出するので組立作業が不要となる。
【００１３】
請求項４記載の考案にあっては、上記駆動パネル部の、他方の駆動パネル片部の上記ディスプレイパネル部の後端部との接続部位には、上記後端部に隣接して幅方向に沿って折筋が設けられ、上記折筋により折り返し片部が形成されているので、上記薄型収納箱から取り出された場合には、上記付勢部材は上記駆動パネル部を回動させ、同時に上記折り返し片部を起き上がらせることにより、上記駆動パネル部の回動動作はスムーズとなり勢いよく上記第二のディスプレイパネルを突出させることが可能となる。
従って、ディスプレイパネルの勢いのある突出動作によりディスプレイ本体を取り出した者を驚愕させ又は意外性を感じさせうるので、インパクトがありメッセージを強く印象付けることができる斬新で宣伝広告効果の高いディスプレイ装置を提供することができる。
【００１４】
請求項５記載の考案にあっては、上記第一のディスプレイパネル部の表面部及び上記第二のディスプレイパネル部の表面部には適宜のディスプレイが表示されるので、ディスプレイパネル表面部に様々なメッセージや図柄等を付すことが可能であり、よりインパクトがありメッセージを強く印象付けることができる斬新で宣伝広告効果の高いディスプレイ装置を提供することができる。
【００１５】
請求項６記載の考案にあっては、上記ディスプレイ本体は一枚の平板で形成されているので、ディスプレイ本体には一枚の平板以外には他の構成要素が不要であるため製造コストを嵩ませることがないディスプレイ装置を提供することができる。  
【００１６】
請求項７記載の考案にあっては、上記収納箱及び上記ディスプレイ本体は厚紙により形成されているので、加工し易く軽量なディスプレイ装置を提供することができる。
【００１７】
請求項８記載の考案にあっては、上記付勢部材は、ゴムひもにより形成されているので、
構成が簡易であるため製造コストを嵩ませることがないディスプレイ装置を提供することができる。
【考案を実施するための最良の形態】
【００１８】
以下、図面を用いて本考案の実施の形態について説明する。
図１〜図９は、本考案に係るディスプレイ装置１０の一実施例を示したものである。
図１〜図６に示すように、本実施の形態に係るディスプレイ装置１０は、薄型収納箱１１と、上記薄型収納箱１１に収納されると共に使用時には取り出されてディスプレイ部材を構成するディスプレイ本体１２とを有し、上記ディスプレイ本体１２は、脚部を形成しうる第一のディスプレイパネル部１３と、上記第一のディスプレイ部１３内に出没可能に配置される第二のディスプレイパネル部１４と、上記第二のディスプレイ部１４を第一のディスプレイ部１３から突出させうる駆動部１５とを有する。
【００１９】
また、上記第一のディスプレイパネル部１３は、長さ方向中央部において折曲され、一対の脚片部１６ａ，１６ｂを構成しうる長方形板材により形成され、上記第二のディスプレイパネル部１４を内部に収納すると共に、上記折曲部１７の幅方向中央部には上記第二のディスプレイパネル部１４が出没しうる開口スリット部１８が形成され、上記第二のディスプレイパネル部１４は、全体略長方形板材により形成され、両側部には、突出時に上記開口スリット部の両側部と係合しうるストッパ部１９が形成され、上記駆動部１５は、上記第二のディスプレイパネル部の後端部２０と上記一対の脚片部１６ａ，１６ｂの内側面部との間に回動可能に接合された駆動パネル部２１と、上記一方の脚片部１６ａの内側先端部と上記駆動パネル部２１との間に配設され、上記駆動パネル部２１を開閉駆動させうる付勢部材２２とを備えている。
【００２０】
また、上記第二のディスプレイパネル部の後端部２０は、上記駆動パネル部２１の長さ方向中央部に接合され、上記付勢部材２２は、一端部が上記一方の脚片部１６ａの先端部内側に形成された先端部側係止部２３と、上記駆動パネル部２１の上記一方の脚片部側の駆動パネル片部２５に形成された係止部２４との間に配設され、上記係止部２４は、上記第二のディスプレイパネル部１４が第一のディスプレイパネル部１３内に収納された場合には、上記第二のディスプレイパネル部１４の上記後端部２０よりも先端部側に配置されると共に、上記付勢部材２２は上記駆動パネル部２１に対して先端部方向への付勢力を付与しうるように構成されている。
【００２１】
また、上記駆動パネル部２１の、他方の駆動パネル片部２６の上記ディスプレイパネル部の後端部２０との接続部位には、上記後端部に隣接して幅方向に沿って折筋２７が設けられ、上記折筋２７により折り返し片部２８が形成されている。
【００２２】
また、第一のディスプレイパネル部１３の表面部３４及び上記第二のディスプレイパネル部の表面部３５には適宜のディスプレイが表示される。
【００２３】
また、上記ディスプレイ本体１２は一枚の平板で形成されている。
【００２４】
また、上記収納箱１１及び上記ディスプレイ本体１２は厚紙により形成されている。
【００２５】
また、上記付勢部材２２は、ゴムひもにより形成されている。
【実施例】
【００２６】
図９に示すように、本考案に係るディスプレイ本体１２は、一枚の厚紙を切り起こして形成されている。
上記ディスプレイ本体１２は図９に示すようにその展開状態において、第二のディスプレイパネル部形成部３７ａの長さ方向の一方の端部には折り曲げ線６２を介して一方の駆動パネル片部側の折り返し片部形成部４４が連設され、その下方には折り曲げ線５９を介して第二のディスプレイパネル部形成部３７ｂが連設されている。
【００２７】
また、上記第二のディスプレイパネル部形成部３７ｂの長さ方向の上記一方の端部には夫々、折り曲げ線２９，５８，５６，５４，５３を介し、順次、一方の駆動パネル片部側の折り返し片部形成部４３，一方の駆動パネル片部３９，脚片部裏面への接合部４５，一方の脚片部の内側先端部に形成された先端部側係止部形成部４１，折り畳み部６９が連設されている。
そして、上記第二のディスプレイパネル部形成部３７ｂの長さ方向の上記一方の端部には切込み線６４が設けられ固定片７３が設けられている。
そして、上記一方の駆動パネル片部３９（一方の脚片部側の駆動パネル片部に形成された係止部形成部４０）の上方及び下方には夫々、折り曲げ線５５，５７を介して折り畳み部６７，折り畳み部６８が連設されており、さらに折り曲げ線５５，５７上中央部には係止部形成孔７４が設けられている。
【００２８】
また、上記脚片部裏面への接合部４５の上方には夫々、折り曲げ線６１，６０を介し、順次、第二のディスプレイパネルの脚片部形成部３６ａ，折り畳み部６５が連設されている。
【００２９】
また、上記第二のディスプレイパネル形成部の脚片部形成部３６ａの右方には折り曲げ線６３を介して第二のディスプレイパネル形成部の脚片部形成部３６ｂが連設され、この第二のディスプレイパネル形成部の脚片部形成部３６ｂの上方及び下方には夫々、折り曲げ線４７，４８を介して折り畳み部６６、脚片部裏面への接合部４６が連設されている。
そして、折り曲げ線６３上の中央部には開口スリット１８が形成されている。
【００３０】
また、上記脚片部裏面への接合部４６は長さ方向右端部に夫々、折り曲げ線５２，折筋２７，折り曲げ線４９を介し、順次、他方の駆動パネル片部形成部３８，折り返し片部形成部４２，第二のディスプレイパネル部の後端部への接合部７２が連設されている。
そして、上記他方の駆動パネル片部形成部３８の上方及び下方には夫々、折り曲げ線５０，５１を介して折り畳み部７０，折り畳み部７１が連設されている。
【００３１】
上記展開構成に基づき、上記ディスプレイ本体１２は、以下のように組み立てられている。
第二のディスプレイパネル部１４は、第二のディスプレイパネル部形成部３７ａを折り曲げ線５９に沿って上方に折り曲げ、第二のディスプレイパネル部形成部３７ｂと接着することで形成される。この場合、第二のディスプレイパネル部は強度を確保するため形成部３７ａ，３７ｂを張り合わせた二枚構成となっている。さらに、切込み線６４によって形成された固定片７３と第二のディスプレイパネル部形成部３７ｂとの間に第二のディスプレイパネル部形成部３７ａを挟み込んで接着固定することにより形成される。
そして、形成された第二のディスプレイパネル部は、接着され一体となった折り曲げ線６２及び一方の駆動パネル片部側の折筋２９に沿って下方に折り曲げられ、一体となった一方の駆動パネル片部側の折り返し片部形成部４３，４４が折り曲げ線５８に沿って上方に折り曲げられることにより一方の駆動パネル片部側の折り返し片部３０が形成される。
【００３２】
また、ディスプレイパネルの強度を確保するために、折り畳み部６５，６６，６７，６８，６９，７０，７１は夫々、折り曲げ線６０，４７，５５，５７，５０，５１に沿って内方へ折り曲げ接着固定する構成となっている。
そして、この折り畳み部６７，６８は折り曲げ線５５，５７上に形成された係止部形成孔７４が折り曲げられて半円状の切欠き部が形成され、一方の脚片部側の駆動パネル片部に形成された係止部２４を構成する。
さらに折り曲げられた折り畳み部６７，６８によって強度が確保された一方の駆動パネル片部形成部３９（係止部形成部４０）が形成され、折り曲げ線５６に沿って一方の駆動パネル片部形成部３９を下方へ折り曲げることにより一方の駆動パネル片部２５が形成される。
【００３３】
また、折り畳み部７０，７１によって強度が確保された他方の駆動パネル片部形成部３８が形成され、折り曲げ線５２に沿って一方の駆動パネル片部形成部３８を下方へ折り曲げることにより他方の駆動パネル片部２６が形成される。
【００３４】
また、上記折り畳み部６９により強度が確保された一方の脚片部の内側先端部に形成された先端部側係止部形成部４１が形成され、折り曲げ線５４に沿って先端部側係止部形成部４１を上方へ折り曲げることにより上記先端部側係止部２３が形成される。
【００３５】
また、折り返し片部形成部４２は折筋２７に沿って下方に折り曲げられることにより折り返し片部２８が形成される。
そして、第二のディスプレイパネル部１４の後端部への接合部７２は折り曲げ線４９に沿って下方に折り曲げられることにより形成される。
【００３６】
また、第一のディスプレイパネル部１３は、脚片部裏面への接合部４５，４６を折り曲げ線６１，４８に沿って上方に折り曲げ、第二のディスプレイパネル部形成部３６ａ，３６ｂに夫々接着させた後に、折り曲げ線６３に沿って内方へ折り曲げられることにより形成される。
【００３７】
上記のように夫々を折り曲げ線に沿って折り曲げ、又は接着した後、ゴムひもからなる付勢部材２０を係止部２３，２４へ装着し、第二のディスプレイパネル部１４を開口スリット１８へ挿入する。
そして、第二のディスプレイパネル部の後端部への接合部７２を第二のディスプレイパネル部の後端部２０へ接着することでディスプレイ本体１２は形成される。
【００３８】
以下に上記実施例の作用について説明する。
図１及び図２に示すように、ディスプレイ装置１０が収納状態にあるときには、ディスプレイ本体１２は薄型収納箱１１に収納されており、薄型収納箱１１の中にディスプレイ本体１２は平板状に折り畳まれていると共に第二のディスプレイパネル部１４は第一のディスプレイパネル部１３の内部に埋没している。
そして、第二のディスプレイパネル部１４が第一のディスプレイパネル部１３内に埋没している場合には、駆動パネル部２１の一方の脚片部側１６ａの駆動パネル片部２５に形成された係止部２４は、第二のディスプレイパネル部１４の第二のディスプレイパネル部１４の後端部２０よりも先端部側に配置されている。
従って、先端部側係止部２３と駆動パネル部２１の一方の脚片部側の駆動パネル片部２５に形成された係止部２４との間に配設されたゴムひもからなる付勢部材２２は、駆動パネル部２１に対して先端部方向への付勢力を付与している。
そして、図１及び図２におけるディスプレイ本体１２は、薄型収納箱１１により両側面が保持されているので、駆動部１５は動作せず、上記付勢力が付与された状態で保持されている。
従って、ディスプレイ本体１２は、薄型収納箱１１から取り出される際に薄型収納箱１１による両側面の保持が開放され、駆動部１５が動作状態に至り、付勢力は開放される。
【００３９】
薄型収納箱１１から取り出されたディスプレイ本体１２は、図１及び図２の状態から図３及び図４の状態を経て、図５及び図６に示すように第二のディスプレイ部１４を突出させると共に起立可能となる。
図３及び図４に示すように、ディスプレイ本体１２が薄型収納箱１１から取り出された直後には、付勢部材２２の駆動パネル部２１に対しての先端部方向への付勢力により、第二のディスプレイパネル部１４の後端部２０に回動可能に接合された一方の駆動パネル片部２５は、一方の脚片部１６ａとの接合部位３１を中心として回動動作に入り、一方の駆動パネル片部２５の内面側が先端部方向に対向するように起き上がっていく。
そして同時に、上記後端部２０に隣接して形成されている他方の駆動パネル片部２６に設けられた折り返し片部２８は第二のディスプレイパネル部１４の後端部２０との接続部位３２を中心に回動し起き上がる。
さらに、第二のディスプレイパネル部１４の後端部２０に回動可能に接合された他方の駆動パネル片部２６は、一方の脚片部１６ｂとの接合部位３３を中心として回動動作にはいり、他方の駆動パネル片部２６の内面側が先端部方向に対向するように起き上がっていく。
この折り返し片部２８及び他方の駆動パネル片部２６の起き上がり動作は、一方の駆動パネル片部２５の回動を増進させるための補助的作用である。
【００４０】
そして、図５及び図６に示すように、一方の駆動パネル片部２５は、一方の脚片部１６ａとの接合部位を中心として付勢部材２２の付勢力が開放されるまで回動する。
すなわち、付勢部材２２の付勢力が滅失又はストッパ部１９が開口スリット部１８両端部に係合するまで回動する。
そして、この回動動作により一方の駆動パネル片部２５に接合された第二のディスプレイパネル部１４には先端部方向への力が作用し、第二のディスプレイパネル部１４は第一のディスプレイパネル部１３の開口スリット部１８から外方へ突出する。
この場合、駆動パネル部２１の一方の脚片部側１６ａの駆動パネル片部２５に形成された係止部２４は、第二のディスプレイパネル部１４の第二のディスプレイパネル部１４の後端部２０よりも後端部側に配置されている。
すなわち、この状態において、上記付勢部材２２は、駆動パネル部２１に対して先端部方向への付勢力を付与していない。
また、付勢部材２２の付勢力が開放され第二のディスプレイパネル部１４が突出した場合に、付勢部材２２は一端部が一方の脚片部の先端部内側に形成された先端部側係止部２３と、駆動パネル部２１の一方の脚片部側の駆動パネル片部に形成された係止部２４との間に配設されているので、駆動パネル部２１は脚片部１６ａ及び１６ｂの下端部を所定量外側へ開脚させその状態を保持すると共に、第二のディスプレイパネル部１４の突出状態を保持する。
従って、ディスプレイ本体１２は脚片部１６ａ及び１６ｂの脚長を揃えることで、第二のディスプレイパネル部１４の突出状態を保持させながら起立可能となる。
この状態においてディスプレイ装置１０を非常に小型に形成した場合には、例えば机上において立設されるディスプレイとして使用され、一方、大型に形成した場合には、例えば店頭において立設されるディスプレイとして使用される。
【００４１】
また、図７及び図８に示すように、突出動作終了後の起立可能状態にあっても、第一のディスプレイパネル部１３の脚片部１６ａ及び１６ｂの外側面を互いに押圧することにより、第二のディスプレイパネル部１４を突出させた状態でディスプレイパネル本体１２を平板状に形成することも可能となる。
脚片部１６ａ及び１６ｂの外側面を互いに押圧すると、折筋２７及び一方の駆動パネル片部側の折筋２９が重なり合うと共に、折り返し片部２８及び一方の駆動パネル片部側の折り返し部３０は重なり合い当接する。
これにより図８に示すように、第一のディスプレイパネル部１３内の構成要素は折り畳まれ、ディスプレイパネル本体１２を平板状に形成することができる。
すなわち、ディスプレイパネル本体１２は、平板状に形成されるので、平板状態でディスプレイしたい場合や、第二のディスプレイパネル部１４を突出させた状態で薄型収納箱１１に収納することや、平板状態で一時的に保管することが可能となる。
また、付勢部材２２には付勢力は付与されていない。
すなわち、付勢部材２２の付勢力によって構成部品や付勢部材２２に損傷を与えることはない。
【００４２】
また、本実施の形態においては記載されていないが、例えば、グリーティングカードのダイレクトメールとして郵送されるディスプレイ装置として構成することもできる。
【産業上の利用可能性】
【００４３】
本考案は、広くディスプレイ装置に適用することができる。
【図面の簡単な説明】
【００４４】
【図１】本考案に係るディスプレイ装置の薄型収納箱への収納時における一実施の形態を示す斜視図である。
【図２】本考案に係るディスプレイ装置の薄型収納箱への収納時におけるディスプレイ本体の一実施の形態を示す断面図である。
【図３】本考案に係るディスプレイ装置の使用時直後の動作過程におけるディスプレイ本体の一実施の形態を示す斜視図である。
【図４】本考案に係るディスプレイ装置の使用時直後の動作過程におけるディスプレイ本体の一実施の形態を示す断面図である。
【図５】本考案に係るディスプレイ装置の使用時におけるディスプレイ本体の一実施の形態を示す斜視図である。
【図６】本考案に係るディスプレイ装置の使用時におけるディスプレイ本体の一実施の形態を示す断面図である。
【図７】本考案に係るディスプレイ装置の使用時における一対の脚片部を互いに当接させた状態のディスプレイ本体の一実施の形態を示す斜視図である。
【図８】本考案に係るディスプレイ装置の使用時における一対の脚片部を互いに当接させた状態のディスプレイ本体の一実施の形態を示す断面図である。
【図９】本考案に係るディスプレイ装置のディスプレイ本体の組立前展開図である。
【符号の説明】
【００４５】
１０    ディスプレイ装置
１１    薄型収納箱
１２    ディスプレイ本体
１３    第一のディスプレイパネル部
１４    第二のディスプレイパネル部
１５    駆動部
１６ａ  脚片部
１６ｂ  脚片部
１７    折曲部
１８    開口スリット部
１９    ストッパ部
２０    第二のディスプレイパネル部の後端部
２１    駆動パネル部
２２    付勢部材
２３    一方の脚片部の内側先端部に形成された先端部側係止部
２４    一方の脚片部側の駆動パネル片部に形成された係止部
２５    一方の駆動パネル片部
２６    他方の駆動パネル片部
２７    折筋
２８    折り返し片部
２９    一方の駆動パネル片部側の折筋
３０    一方の駆動パネル片部側の折り返し片部
３１    一方の駆動パネル片部と一方の脚片部１６ａとの接合部位
３２    折り返し片部と第二のディスプレイパネル部の後端部との接続部位
３３    他方の駆動パネル片部と一方の脚片部との接合部位
３４    第一のディスプレイパネル部表面部
３５    第二のディスプレイパネル部表面部
３６ａ  第一のディスプレイパネル部形成部（脚片部形成部）
３６ｂ  第一のディスプレイパネル部形成部（脚片部形成部）
３７ａ  第二のディスプレイパネル部形成部
３７ｂ  第二のディスプレイパネル部形成部
３８    他方の駆動パネル片部形成部
３９    一方の駆動パネル片部形成部
４０    一方の脚片部側の駆動パネル片部に形成された係止部形成部
４１    一方の脚片部の内側先端部に形成された先端部側係止部形成部
４２    折り返し片部形成部
４３    一方の駆動パネル片部側の折り返し片部形成部
４４    一方の駆動パネル片部側の折り返し片部形成部
４５    脚片部裏面への接合部
４６    脚片部裏面への接合部
４７    折り曲げ線
４８    折り曲げ線
４９    折り曲げ線
５０    折り曲げ線
５１    折り曲げ線
５２    折り曲げ線
５３    折り曲げ線
５４    折り曲げ線
５５    折り曲げ線
５６    折り曲げ線
５７    折り曲げ線
５８    折り曲げ線
５９    折り曲げ線
６０    折り曲げ線
６１    折り曲げ線
６２    折り曲げ線
６３    折り曲げ線
６４    切込み線
６５    折り畳み部
６６    折り畳み部
６７    折り畳み部
６８    折り畳み部
６９    折り畳み部
７０    折り畳み部
７１    折り畳み部
７２    第二のディスプレイパネル部の後端部への接合部
７３    固定片
７４    係止部形成孔
【図１】
0003132333.tif 000003
【図２】
0003132333.tif 000004
【図３】
0003132333.tif 000005
【図４】
0003132333.tif 000006
【図５】
0003132333.tif 000007
【図６】
0003132333.tif 000008
【図７】
0003132333.tif 000009
【図８】
0003132333.tif 000010
【図９】
0003132333.tif 000011